(57)【要約】【課題】吊り環に加えられた衝撃が内部に伝わり易いこと。【解決手段】携帯機器は、前記携帯機器の外観を提供する第１外装部および第２外装部と、前記携帯機器を吊す吊り具を取り付ける第１吊り環とを備え、前記第１吊り環は、前記第１外装部および前記第２外装部の内側に位置し、前記第１外装部および前記第２外装部に締結される内側部と、前記内側部から前記第１外装部および前記第２外装部の外側に突出し、前記吊り具を取り付ける取付部とを有し、前記内側部は、前記第１外装部と前記第２外装部との合わせ面に略垂直な方向に挿入されたビスによって、前記第１外装部および前記第２外装部に締結される。【選択図】図４
2018018109.tif 000002
【特許請求の範囲】
【請求項１】
機器であって、
前記機器の第１外装部および第２外装部と、
前記機器を吊す吊り具を取り付ける吊り環とを備え、
前記吊り環は、前記第１外装部および前記第２外装部の内側において、第１ビスによって前記第１外装部に締結され、第２ビスによって前記第２外装部に締結される機器。
【請求項２】
前記吊り環は、前記第１外装部および前記第２外装部の内側に位置し、前記第１外装部および前記第２外装部に締結される内側部と、
前記第１外装部および前記第２外装部の外側に位置し、前記吊り具を取り付ける取付部とを有する請求項１に記載の機器。
【請求項３】
前記内側部には、前記内側部を前記第１外装部に締結する第１ビスが挿入される第１孔と、前記内側部を前記第２外装部に締結する第２ビスが挿入される第２孔とが形成されており、
前記第２ビスは、前記第１ビスが前記第１孔に挿入される向きと略同一な向きで前記第２孔に挿入される請求項２に記載の機器。
【請求項４】
前記第１外装部と前記第２外装部との合わせ面に平行な平面内において、前記第１孔の位置は前記第２孔の位置と異なる請求項３に記載の機器。
【請求項５】
前記内側部は、
第１孔が形成され前記第１外装部と前記第２外装部との合わせ面に略平行な主面を持つ、第１締結部と、
第２孔が形成され前記合わせ面に略平行な主面を持つ、第２締結部と、
前記第１締結部と前記第２締結部とを結ぶ連結部と
を有し、
前記合わせ面に平行な平面内において、前記第２締結部の位置は前記第１締結部の位置と異なる請求項２に記載の機器。
【請求項６】
前記第１締結部および前記第２締結部は、前記連結部から第１の方向に延伸し、
前記第２締結部は、前記第１の方向と直交する方向に前記第１締結部からずれた位置に存在する請求項５に記載の機器。
【請求項７】
前記第１外装部および前記第２外装部は、導電性を有する樹脂で形成され、
前記吊り環は、接地導体に締結される請求項１から６のいずれか一項に記載の機器。
【請求項８】
操作部材と、
前記操作部材を前記第１外装部に固定し、前記操作部材の基準電位を提供する金属性の固定板とをさらに備え、
前記固定板は、前記第１外装部および前記吊り環に締結される請求項７に記載の機器。
【請求項９】
前記第１外装部に設けられた導電性のヒンジ部と、
前記ヒンジ部によって回転可能に支持された表示部とをさらに備え、
前記ヒンジ部は、前記吊り環に締結され、
前記表示部が有する接地導体は、前記ヒンジ部に電気的に接続される請求項７または８に記載の機器。
【発明の詳細な説明】
【技術分野】
【０００１】
本発明は、携帯機器に関する。
【背景技術】
【０００２】
金属部品で構成されたメインシャーシの開口部を外装カバーの外観側へ露出して、ストラップ紐等を取り付けることを可能とした撮像装置が知られている（例えば、特許文献１参照。）。
［先行技術文献］
［特許文献］
［特許文献１］  特開２００４−１０４１６８号公報
【発明の概要】
【発明が解決しようとする課題】
【０００３】
吊り環部を内部シャシー構造に取り付けた場合、吊り環に加えられた衝撃が内部に伝わり易いという課題があった。
【課題を解決するための手段】
【０００４】
第１の態様においては、携帯機器は、前記携帯機器の外観を提供する第１外装部および第２外装部と、前記携帯機器を吊す吊り具を取り付ける第１吊り環とを備え、前記第１吊り環は、前記第１外装部および前記第２外装部の内側に位置し、前記第１外装部および前記第２外装部に締結される内側部と、前記内側部から前記第１外装部および前記第２外装部の外側に突出し、前記吊り具を取り付ける取付部とを有し、前記内側部は、前記第１外装部と前記第２外装部との合わせ面に略垂直な方向に挿入されたビスによって、前記第１外装部および前記第２外装部に締結される。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】撮像装置２０００の模式的な断面図である。
【図２】撮像装置２０００の外観の斜視図である。
【図３】図２とは異なる方向から見た場合の撮像装置２０００の外観の斜視図を示す。
【図４】前カバー２０３１、上カバー２０３２、後カバー２０３３、吊り環２９１０および吊り環２９２０の分解斜視図である。
【図５】ボタン部１４７０の断面を模式的に示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、撮像装置２０００の模式的な断面図である。撮像装置２０００は、一眼レフレックスカメラである。撮像装置２０００は、レンズユニット２０１０およびカメラ本体２０２０を備える。レンズユニット２０１０は、交換レンズである。レンズユニット２０１０は、カメラ本体２０２０に着脱可能である。図１は、カメラ本体２０２０にレンズユニット２０１０が装着された状態を撮像装置２０００として示す。
【０００９】
カメラ本体２０２０は、ボディ側マウント２０２２と、カバー部２０３０と、ボディ部２０４０と、ミラーユニット２０４２と、シャッタユニット２０２３と、撮像ユニット２１００と、処理ユニット２４００と、表示ユニット２０２４と、ファインダユニット２０６０と、ファインダ窓２０６４と、レンズ駆動ユニット２０２５と、焦点検出ユニット２０２６とを有する。レンズユニット２０１０は、ボディ側マウント２０２２に装着される。
【００１０】
カバー部２０３０は、撮像装置２０００の外観を提供する。カバー部２０３０は、前カバー２０３１と、上カバー２０３２と、後カバー２０３３とを有する。ボディ部２０４０と、ミラーユニット２０４２と、シャッタユニット２０２３と、撮像ユニット２１００と、処理ユニット２４００と、ファインダユニット２０６０と、レンズ駆動ユニット２０２５と、焦点検出ユニット２０２６とは、前カバー２０３１、上カバー２０３２および後カバー２０３３によって実質的に覆われる。
【００１１】
撮像装置２０００に係る構成を説明する場合に、レンズユニット２０１０の光軸に沿う方向をｚ軸方向と定める。すなわち、被写体光束が入射する方向をｚ軸方向と定める。被写体光束が入射する方向をｚ軸マイナス方向と定め、その反対方向をｚ軸プラス方向と定める。また、図１に図示した方向にｘ軸方向およびｙ軸方向を定める。ｘ軸、ｙ軸、ｚ軸は右手系の直交座標系である。また、ｚ軸プラス方向を前方、前側等と呼ぶ場合がある。また、ｚ軸マイナス方向を後方、後側等と呼ぶ場合がある。また、ｙ軸プラス方向を上方、上側、上部等と呼ぶ場合がある。ｙ軸プラス方向を下方、下側、下部等と呼ぶ場合がある。
【００１２】
レンズユニット２０１０は、レンズ側マウント２０１２と、光学系２０１４とを有する。光学系２０１４は、レンズ群２０１５と、レンズ群２０１６とを含む。レンズ群２０１５およびレンズ群２０１６は、ｚ軸マイナス方向に沿って、レンズ群２０１５、レンズ群２０１６の順で、光軸Ｘに沿って設けられる。レンズ側マウント２０１２は、光学系２０１４より後側に設けられる。レンズ側マウント２０１２は、カメラ本体２０２０の前面に配されたボディ側マウント２０２２と嵌合することにより、レンズユニット２０１０がカメラ本体２０２０に装着される。
【００１３】
レンズ群２０１６は、光軸Ｘに沿って移動可能に設けられる。レンズ群２０１６が光軸Ｘに沿って移動することにより、光学系２０１４の焦点距離、合焦位置が変化する。レンズ群２０１６は、レンズ駆動ユニット２０２５によって、光軸Ｘに沿って移動する。レンズユニット２０１０は、レンズ群２０１５およびレンズ群２０１６を通過した被写体光束を出射する。
【００１４】
カメラ本体２０２０において、ボディ部２０４０の上方には、ファインダユニット２０６０が固定される。ファインダユニット２０６０は、フォーカシングスクリーン２０６１と、ペンタプリズム２０６２と、ファインダレンズ系２０６３と、測光ユニット２０６７とを有する。測光ユニット２０６７は、測光光学系２０６８と、測光センサ２０６９とを含む。
【００１５】
ボディ部２０４０内には、ミラーユニット２０４２が設けられる、ミラーユニット２０４２は、メインミラー２０４３と、サブミラー２０４４とを含む。
【００１６】
ミラーユニット２０４２は、レンズユニット２０１０が出射した被写体光束の光路中に進入した状態と、被写体光束の光路から退避した状態とをとる。図１は、ミラーユニット２０４２が被写体光束の光路中に進入した状態を示す。具体的には、メインミラー２０４３は、レンズユニット２０１０が出射した被写体光束の光路中に進入した進入位置と、被写体光束の光路から退避した退避位置との間で、回転可能に軸支される。サブミラー２０４４は、メインミラー２０４３に対して回転可能に軸支される。サブミラー２０４４は、メインミラー２０４３とともに被写体光束中に進入し、メインミラー２０４３とともに被写体光束から退避する。
【００１７】
メインミラー２０４３が進入位置にある場合、メインミラー２０４３に入射した被写体光束の一部は、メインミラー２０４３に反射されてフォーカシングスクリーン２０６１に導かれる。フォーカシングスクリーン２０６１は、撮像ユニット２１００が有する撮像素子２１３０の撮像面と共役な位置に配されて、レンズユニット２０１０が有する光学系２０１４が形成した被写体像を可視化する。フォーカシングスクリーン２０６１に形成された被写体像の光束は、ペンタプリズム２０６２に導かれる。ペンタプリズム２０６２に導かれた光束の一部の光束は、ペンタプリズム２０６２およびファインダレンズ系２０６３を通じてファインダ窓２０６４から出射して、被写体として観察され得る。ファインダ窓２０６４は、後カバー２０３３に締結されて固定されている。
【００１８】
メインミラー２０４３が進入位置にある場合、メインミラー２０４３に入射した被写体光束のうちメインミラー２０４３で反射した被写体光束以外の光束は、サブミラー２０４４に入射する。具体的には、メインミラー２０４３はハーフミラー領域を有し、メインミラー２０４３のハーフミラー領域を透過した被写体光束がサブミラー２０４４に入射する。ハーフミラー領域を透過しサブミラー２０４４で反射した被写体光束は、焦点検出ユニット２０２６に入射する。焦点検出ユニット２０２６は、入射した光束を検出して被写体に対する焦点状態を示す情報を出力する焦点検出センサ部２０２７を有する。焦点検出センサ部２０２７は、焦点状態の検出結果を処理ユニット２４００へ出力する。処理ユニット２４００は、焦点状態の検出結果に基づいて焦点調節を行う。例えば、処理ユニット２４００は、焦点状態の検出結果に基づいてレンズ駆動ユニット２０２５を制御して、レンズ群２０１６を移動させる。
【００１９】
ペンタプリズム２０６２に導かれた光束の一部の光束は、測光光学系２０６８を通じて測光センサ２０６９に入射する。測光センサ２０６９は、入射した光束を受光して、被写体の光量を検出する。測光センサ２０６９は、被写体の光量の検出結果を処理ユニット２４００へ出力する。処理ユニット２４００は、被写体の光量の検出結果に基づいて露出調節を行う。例えば、処理ユニット２４００は、被写体の光量の検出結果に基づいて、レンズユニット２０１０の絞り、露出時間、撮像素子２１３０の感度の少なくとも一つを制御する。
【００２０】
ミラーユニット２０４２が被写体光束から退避し、シャッタユニット２０２３の先幕および後幕が開状態となれば、レンズユニット２０１０を透過する被写体光束は、シャッタユニット２０２３の後方に配置された撮像ユニット２１００に入射して、有する撮像素子２１３０の撮像面に到達する。
【００２１】
撮像ユニット２１００の後方には、処理ユニット２４００および表示ユニット２０２４が順次配置される。表示ユニット２０２４としては、液晶パネル等を適用できる。表示ユニット２０２４の表示面は、カメラ本体２０２０の背面に現れる。表示ユニット２０２４は、撮像素子２１３０からの出力信号から生成される画像を表示する。表示ユニット２０２４は、後カバー２０３３に固定される。表示ユニット２０２４は、後カバー２０３３に締結されて固定される。
【００２２】
処理ユニット２４００には、ＭＰＵ、ＡＳＩＣ等の電子回路が実装される。ＭＰＵは、撮像装置２０００の全体の制御を担う。撮像素子２１３０からの出力信号は、フレキシブルプリント基板２１８０を介してＡＳＩＣへ出力される。ＡＳＩＣは、撮像素子２１３０から出力された出力信号を処理する。
【００２３】
ＡＳＩＣは、撮像素子２１３０からの出力信号に基づいて、表示用の画像データを生成する。表示ユニット２０２４は、ＡＳＩＣが生成した表示用の画像データに基づいて画像を表示する。ＡＳＩＣは、撮像素子２１３０からの出力信号に基づいて、記録用の画像データを生成する。ＡＳＩＣが生成した記録用の画像データは、カメラ本体２０２０に装着された記録媒体に記録される。カメラ本体２０２０には記録媒体が着脱可能に設けられる。
【００２４】
前カバー２０３１、上カバー２０３２および後カバー２０３３は樹脂で形成される。前カバー２０３１、上カバー２０３２および後カバー２０３３は、導電性を有する樹脂で形成される。前カバー２０３１、上カバー２０３２および後カバー２０３３は、樹脂成形により形成される。ボディ側マウント２０２２は金属で形成される。ボディ側マウント２０２２は、環形状を有するマウントリングである。ボディ部２０４０は、樹脂で形成される。ボディ側マウント２０２２は、ボディ部２０４０の剛性より高い剛性を有する。
【００２５】
カバー部２０３０において、前カバー２０３１は、ボディ側マウント２０２２の近傍においてボディ部２０４０に固定される。前カバー２０３１は、ボディ部２０４０においてボディ側マウント２０２２が締結された部位およびボディ側マウント２０２２の少なくとも一方に締結される。例えば、前カバー２０３１は、ボディ側マウント２０２２に締結される。より具体的には、前カバー２０３１は、ボディ側マウント２０２２およびボディ部２０４０と共締めされる。前カバー２０３１は、ボディ側マウント２０２２とボディ部２０４０との間に挟まれた状態で、ボディ側マウント２０２２およびボディ部２０４０と共締めされてよい。前カバー２０３１は、ボディ側マウント２０２２をボディ部２０４０に締結するビスにより、ボディ側マウント２０２２およびボディ部２０４０と共締めされる。
【００２６】
カバー部２０３０はモノコック構造を有する。上カバー２０３２は、前カバー２０３１および後カバー２０３３と締結される。後カバー２０３３は、前カバー２０３１および上カバー２０３２と締結される。前カバー２０３１、上カバー２０３２および後カバー２０３３は、前カバー２０３１、上カバー２０３２および後カバー２０３３で形成されるカバー部２０３０がモノコック構造を有するように、それぞれ他のカバーと締結される。
【００２７】
前カバー２０３１は、ボディ側マウント２０２２の近傍以外の部位では、ボディ部２０４０に締結されていない。また、前カバー２０３１は、ボディ側マウント２０２２を除いて、ボディ部２０４０と締結された他の部材に締結されていない。上カバー２０３２および後カバー２０３３は、ボディ部２０４０と締結されていない。上カバー２０３２および後カバー２０３３は、前カバー２０３１を除いて、ボディ部２０４０と締結された他の部材に締結されていない。したがって、カバー部２０３０は、ボディ側マウント２０２２の近傍の部位でのみ、ボディ部２０４０に締結されている。
【００２８】
ボディ側マウント２０２２がボディ部２０４０と締結されることで、ボディ部２０４０においてボディ側マウント２０２２が締結された部位およびその近傍の部位の剛性が高まる。したがって、カバー部２０３０は、ボディ部２０４０において高い剛性を有する部位に締結される。ボディ部２０４０は、他の部位では前カバー２０３１、上カバー２０３２および後カバー２０３３のいずれとも締結されていない。
【００２９】
また、カバー部２０３０はモノコック構造を有するので、前カバー２０３１、上カバー２０３２および後カバー２０３３のいずれかに加わった応力を、前カバー２０３１、上カバー２０３２および後カバー２０３３の全体で受け持つことができるとともに、前カバー２０３１、上カバー２０３２および後カバー２０３３のいずれかに加わった応力は、ボディ部２０４０においてボディ側マウント２０２２が固定されることによって剛性が高まった部位に集中的に伝達される。そのため、前カバー２０３１、上カバー２０３２および後カバー２０３３のいずれかに加わった応力がボディ部２０４０の他の部位に伝達される場合と比べて、その応力が撮像ユニット２１００の位置決め精度に与える影響を軽減できる。
【００３０】
図２は、撮像装置２０００の外観の斜視図である。図３は、図２とは異なる方向から見た場合の撮像装置２０００の外観の斜視図を示す。図４は、前カバー２０３１、上カバー２０３２、後カバー２０３３、吊り環２９１０および吊り環２９２０の分解斜視図である。
【００３１】
撮像装置２０００は、吊り環２９１０および吊り環２９２０をさらに備える。吊り環２９１０および吊り環２９２０は、撮像装置２０００を吊すストラップ等の吊り具を撮像装置２０００に取り付けるための取付部材の一例である。吊り環２９１０および吊り環２９２０は、金属で形成される。
【００３２】
吊り環２９１０および吊り環２９２０は、カバー部２０３０の内部から外部に突出する。具体的には、吊り環２９１０は、上カバー２０３２に形成された開口１４９０から突出する。吊り環２９２０は、上カバー２０３２に形成された開口１４９１から突出する。
【００３３】
吊り環２９１０は、吊り具装着部１４２０と、前カバー側固定部１４２１と、後カバー側固定部１４２２と、前カバー側固定部１４２１と後カバー側固定部１４２２との間の連結部１４２３とを有する。吊り環２９２０は、吊り具装着部１４３０と、前カバー側固定部１４３１と、後カバー側固定部１４３２と、前カバー側固定部１４３１と後カバー側固定部１４３２との間の連結部１４３３とを有する。
【００３４】
上カバー２０３２は、吊り環２９１０を上カバー２０３２に固定するための孔１４０５を有する。孔１４０５は、開口１４９０の近傍に設けられる。上カバー２０３２は、吊り環２９２０を上カバー２０３２に固定するための同様の孔を、開口１４９１の近傍に有する。
【００３５】
吊り環２９１０は、連結部１４２３において、上カバー２０３２に固定される。吊り環２９２０は、連結部１４３３において、上カバー２０３２に固定される。吊り環２９２０の連結部１４３３は、吊り環２９２０を上カバー２０３２に固定するための孔１４１７を有する。連結部１４３３は、ｙ軸に略直交する主面を持つ平板形状を有する。孔１４１７は、連結部１４３３の２つの主面の間を貫通する。吊り環２９１０は、吊り環２９２０を上カバー２０３２に固定するための同様の孔を、ｙ軸に略直交する主面を持つ平板形状を有する連結部１４２３に有する。
【００３６】
吊り環２９１０は、前カバー側固定部１４２１において、前カバー２０３１に固定される。前カバー側固定部１４２１は、吊り環２９１０を前カバー２０３１に固定するための孔１４０４を有する。吊り環２９２０は、前カバー側固定部１４３１において、前カバー２０３１に固定される。前カバー側前カバー側固定部１４３１は、吊り環２９２０を前カバー２０３１に固定するための孔１４１４を有する。
【００３７】
吊り環２９１０は、後カバー側固定部１４２２において、後カバー２０３３に固定される。後カバー側固定部１４２２は、吊り環２９１０を後カバー２０３３に固定するための孔１４０９を有する。吊り環２９２０は、後カバー側固定部１４３２において、後カバー２０３３に固定される。後カバー側固定部１４３２は、吊り環２９２０を後カバー２０３３に固定するための孔１４１９を有する。
【００３８】
吊り環２９１０および吊り環２９２０をカバー部２０３０に組み付ける手順について説明する。
【００３９】
吊り環２９１０は、前カバー２０３１に位置決めされた状態で前カバー２０３１に固定される。具体的には、吊り環２９１０は、前カバー側固定部１４２１が有する孔１４００が、前カバー２０３１が有する位置決めピン１４０１に挿入されることにより、前カバー２０３１に位置決めされる。吊り環２９１０は、前カバー２０３１に位置決めされた状態で、前カバー２０３１にビス１４０２で締結される。具体的には、吊り環２９１０は、前カバー側固定部１４２１が有する孔１４０４および前カバー２０３１が有する孔１４０３にビス１４０２が挿入されて、ビス１４０２で前カバー２０３１に締結される。このように、ビス１４０２は、ｚ軸に沿う方向に孔１４０４および孔１４０３に挿入される。具体的には、ビス１４０２は、ｚ軸プラス方向に孔１４０４および孔１４０３に挿入される。
【００４０】
吊り環２９２０は、前カバー２０３１に位置決めされた状態で前カバー２０３１に固定される。具体的には、吊り環２９２０は、前カバー側固定部１４３１が有する孔１４１０が、前カバー２０３１が有する位置決めピン１４１１に挿入されることにより、前カバー２０３１に位置決めされる。吊り環２９２０は、前カバー２０３１に位置決めされた状態で、前カバー２０３１にビス１４１２で締結される。具体的には、吊り環２９２０は、前カバー側固定部１４３１が有する孔１４１４および前カバー２０３１が有する孔１４１３にビス１４１２が挿入されて、ビス１４１２で前カバー２０３１に締結される。このように、ビス１４１２は、ｚ軸に沿う方向に孔１４１４および孔１４１３に挿入される。具体的には、ビス１４０２は、ｚ軸プラス方向に孔１４１４および孔１４１３に挿入される。
【００４１】
吊り環２９１０および吊り環２９２０が前カバー２０３１に固定された後、吊り環２９１０の吊り具装着部１４２０および吊り環２９２０の吊り具装着部１４３０が上カバー２０３２から外に突出するように、吊り環２９１０および吊り環２９２０の上方から上カバー２０３２を取り付ける。吊り環２９１０の吊り具装着部１４２０は、上カバー２０３２に形成された開口１４９０から突出する。吊り環２９２０の吊り具装着部１４３０は、上カバー２０３２に形成された開口１４９１から突出する。
【００４２】
吊り環２９１０は、ビス１４０６によって上カバー２０３２に固定される。具体的には、吊り環２９１０は、上カバー２０３２にビス１４０６で締結される。より具体的には、吊り環２９１０は、連結部１４２３が有する孔および上カバー２０３２が有する孔１４０５にビス１４０６が挿入されて、ビス１４０６で上カバー２０３２に締結される。このように、ビス１４０６は、ｙ軸に沿う方向に、連結部１４２３が有する孔および孔１４０５に挿入される。具体的には、ビス１４０６は、ｙ軸マイナス方向に、連結部１４２３が有する孔および孔１４０５に挿入される。
【００４３】
吊り環２９２０は、ビス１４１６によって上カバー２０３２に固定される。具体的には、吊り環２９２０は、上カバー２０３２にビス１４１６で締結される。より具体的には、吊り環２９２０は、連結部１４３３が有する孔１４１７および上カバー２０３２が有する孔にビス１４１６が挿入されて、ビス１４１６で上カバー２０３２に締結される。このように、ビス１４１６は、ｙ軸に沿う方向に、連結部１４３３が有する孔１４１７および上カバー２０３２に形成された孔に挿入される。具体的には、ビス１４０６は、ｙ軸マイナス方向に、孔１４１７および上カバー２０３２が有する孔に挿入される。
【００４４】
吊り環２９１０および吊り環２９２０が上カバー２０３２に固定された後、後述する金属導体１４５０やボタン押さえ板１４５１等の内部部材が組み付けられる。内部部材の組み付け手順の詳細については省略する。内部部材が組み付けられた後、吊り環２９１０および吊り環２９２０は、後カバー２０３３に固定される。
【００４５】
吊り環２９１０は、ビス１４８８によって後カバー２０３３に固定される。具体的には、吊り環２９１０は、後カバー２０３３にビス１４８８で締結される。より具体的には、吊り環２９１０は、後カバー２０３３が有する孔１４０８および後カバー側固定部１４２２が有する孔１４０９にビス１４８８が挿入されて、ビス１４８８で後カバー２０３３に締結される。このように、ビス１４８８は、ｚ軸に沿う方向に、孔１４０８および孔１４０９に挿入される。具体的には、ビス１４８８は、ｚ軸プラス方向に、孔１４０８および孔１４０９に挿入される。後述するように、ビス１４８８は、吊り環２９１０、後カバー２０３３とともにボタン押さえ板１４５１を共締めする。
【００４６】
吊り環２９２０は、ビス１４９８によって後カバー２０３３に固定される。具体的には、吊り環２９２０は、後カバー２０３３にビス１４９８で締結される。より具体的には、吊り環２９２０は、後カバー２０３３が有する孔１４１８および後カバー側固定部１４３２が有する孔１４１９にビス１４９８が挿入されて、ビス１４９８で後カバー２０３３に締結される。このように、ビス１４９８は、ｚ軸に沿う方向に、孔１４１８および孔１４１９に挿入される。具体的には、ビス１４９８は、ｚ軸プラス方向に、孔１４１８および孔１４１９に挿入される。後述するように、ビス１４９８は、吊り環２９２０、後カバー２０３３とともに軸支持部１４８１を共締めする。
【００４７】
吊り環２９１０の前カバー側固定部１４２１は、ｚ軸方向に垂直な主面をもつ板形状を有する。前カバー側固定部１４２１は、連結部１４２３の前カバー２０３１側の端部からｙ軸方向に沿って延伸する。具体的には、前カバー側固定部１４２１はｙ軸マイナス方向に延伸する。孔１４０４は、前カバー側固定部１４２１の２つの主面の間を貫通する。
【００４８】
吊り環２９１０の後カバー側固定部１４２２は、ｚ軸方向に垂直な主面をもつ板形状を有する。後カバー側固定部１４２２は、連結部１４２３の後カバー２０３３側の端部からｙ軸方向に沿って延伸する。具体的には、後カバー側固定部１４２２はｙ軸マイナス方向に延伸する。孔１４０９は、後カバー側固定部１４２２の２つの主面の間を貫通する。
【００４９】
ｘｙ平面内において、前カバー側固定部１４２１の位置は、後カバー側固定部１４２２の位置と異なる。具体的には、ｘｙ平面内において、前カバー側固定部１４２１の孔１４０４の位置は、後カバー側固定部１４２２に重ならない。したがって、吊り環２９１０を前カバー２０３１に位置決めした状態で、ｚ軸プラス方向にビス１４０２を孔１４０４に挿入して、吊り環２９１０を前カバー２０３１に締結することが可能になる。このように、吊り環２９１０を前カバー２０３１に締結する場合に、後カバー側固定部１４２２がビス１４０２の挿入に邪魔にならないように、後カバー側固定部１４２２は、前カバー側固定部１４２１とｘｙ平面内においてずれた位置に設けられる。
【００５０】
撮像装置２０００においては、孔１４０４は、後カバー側固定部１４２２からｘ方向およびｙ方向にずれて位置する。しかし、孔１４０４は、後カバー側固定部１４２２からｘ方向およびｙ方向の少なくとも一方の方向にずれた位置に存在してよい。
【００５１】
吊り環２９２０も吊り環２９１０と同様の構成を持つ。ｘｙ平面内において、前カバー側固定部１４３１の位置は、後カバー側固定部１４３２の位置と異なる。具体的には、ｘｙ平面内において、前カバー側固定部１４３１の孔１４１４の位置は、後カバー側固定部１４３２に重ならない。したがって、吊り環２９２０を前カバー２０３１に位置決めした状態で、ｚ軸プラス方向にビス１４１２を孔１４１４に挿入して、吊り環２９２０を前カバー２０３１に締結することが可能になる。このように、吊り環２９２０を前カバー２０３１に締結する場合に、後カバー側固定部１４３２がビス１４１２の挿入に邪魔にならないように、後カバー側固定部１４３２は前カバー側固定部１４３１とｘｙ平面内においてずれた位置に設けられる。
【００５２】
撮像装置２０００においては、前カバー側固定部１４３１の孔１４１４は、後カバー側固定部１４３２からｘ方向にずれた位置に設けられている。しかし、孔１４１４は、後カバー側固定部１４３２からｘ方向およびｙ方向の少なくとも一方の方向にずれた位置に存在してよい。
【００５３】
上述したように、吊り環２９１０は、カバー部２０３０の内部で、カバー部２０３０に固定されている。吊り具装着部１４２０は、連結部１４２３からｙ軸プラス方向に上カバー２０３２の外まで延伸する。同様に、吊り環２９２０は、カバー部２０３０の内部で、カバー部２０３０に固定されている。吊り具装着部１４３０は、連結部１４３３からｙ軸プラス方向に上カバー２０３２の外まで延伸する。
【００５４】
前カバー２０３１と後カバー２０３３とは、ビス１４４０およびビス１４４１で締結される。具体的には、前カバー２０３１は、前カバー２０３１が有する孔１４４２にビス１４４０が挿入されて後カバー２０３３に締結される。前カバー２０３１は、前カバー２０３１が有する孔１４４３にビス１４４１が挿入されて後カバー２０３３に締結される。
【００５５】
上カバー２０３２と後カバー２０３３とは、後カバー２０３３が有する孔１４４５および上カバー２０３２が有する孔１４４６にビス１４４４が挿入されて締結される。
【００５６】
このように、撮像装置２０００は、前カバー２０３１、上カバー２０３２および後カバー２０３３を吊り環２９１０および吊り環２９２０に締結したモノコック構造を有する。そのため、吊り環２９１０、吊り環２９２０、前カバー２０３１、上カバー２０３２および後カバー２０３３のいずれかに加わった力を分散させ、カバー部２０３０全体で力を受け止めることができる。そのため、例えばストラップを介して吊り環２９１０や吊り環２９１０に力がかかってカバー部２０３０が破損することを抑制できる。また、例えば撮像装置２０００を落下させてしまった場合等に、前カバー２０３１、上カバー２０３２および後カバー２０３３のいずれかに加わった衝撃でカバー部２０３０が破損することを抑制できる。
【００５７】
次に、吊り環２９１０および吊り環２９２０に係る接地接続について説明する。吊り環２９１０は、撮像装置２０００の各部に電力を供給する電源回路の接地導体に固定されている。例えば、吊り環２９１０は、電源回路の接地導体に接触して締結されている。吊り環２９１０は、後カバー側固定部１４２２において、ボタン押さえ板１４５１に締結されている。具体的には、後カバー２０３３、ボタン押さえ板１４５１および吊り環２９１０の後カバー側固定部１４２２は、ビス１４８８により共締めされる。ボタン押さえ板１４５１は、後カバー２０３３と吊り環２９１０の後カバー側固定部１４２２との間に挟まれて、後カバー２０３３および後カバー側固定部１４２２に接触して共締めされる。
【００５８】
ボタン押さえ板１４５１は、ビス１４５２、ビス１４５３およびビス１４５４によって、後カバー２０３３に締結される。ボタン押さえ板１４５１は、吊り環２９１０および吊り環２９２０が上カバー２０３２に締結された後、吊り環２９１０および吊り環２９２０が後カバー２０３３に締結される前に、後カバー２０３３に締結される。ボタン押さえ板１４５１に係る構成については図５に関連して説明する。
【００５９】
吊り環２９２０は、電源回路の接地導体と締結された金属導体１４５０を介して、電源回路の接地導体と電気的に短絡される。具体的には、吊り環２９２０において、金属導体１４５０は、前カバー側固定部１４３１が有する孔１４１４を介して、金属導体１４５０がビス１４１２で締結される。このように、吊り環２９１０の前カバー側固定部１４３１、金属導体１４５０および前カバー２０３１は、ビス１４１２によって共締めされる。金属導体１４５０は、前カバー２０３１と吊り環２９２０の前カバー側固定部１４３１との間に挟まれて、前カバー２０３１および前カバー側固定部１４３１に接触して共締めされる。
【００６０】
軸支持部１４８１は、ビス１４９８によって、後カバー２０３３および吊り環２９２０の後カバー側固定部１４３２と共締めされる。軸支持部１４８２は、ビス１４９９によって、後カバー２０３３に固定される。軸支持部１４８１および軸支持部１４８２は、ｙ軸方向に設けられたヒンジ支軸を支持する。ヒンジ支軸は、軸支持部１４８１に接触して固定される。したがって、ヒンジ支軸は、電源回路の接地導体に電気的に短絡される。
【００６１】
ヒンジ支軸は、表示ユニット２０２４を回転可能に支持する。表示ユニット２０２４の内部の接地導体は、ヒンジ支軸に電気的に接続される。したがって、表示ユニット２０２４の内部の接地導体は、ヒンジ支軸、軸支持部１４８１、吊り環２９２０および金属導体１４５０を介して電源回路の接地導体に電気的に短絡される。
【００６２】
なお、金属導体１４５０は、三脚座１４５８に固定される三脚座固定部１４５７を有する。三脚座１４５８は、三脚等の雲台に撮像装置２０００を取り付けるための取付部材の一例である。三脚座固定部１４５７は、ビス１４５９によって、三脚座１４５８に締結される。三脚座固定部１４５７および三脚座１４５８は、前カバー２０３１および後カバー２０３３に共締めされる。
【００６３】
撮像装置２０００によれば、前カバー２０３１、上カバー２０３２および後カバー２０３３は、少なくとも吊り環２９１０を介して、電源回路の接地導体に電気的に短絡される。また、前カバー２０３１、上カバー２０３２および後カバー２０３３は、少なくとも金属導体１４５０および吊り環２９２０を介して、電源回路の接地導体に電気的に短絡される。そのため、接地接続を強化することができる。また、ノイズを低減させることができる。
【００６４】
以上に説明したように、撮像装置２０００によれば、ボディ部等を固定するための内部シャシー等の内部構造体を持たせなくて済む。そのため、内部構造体を設ける場合と比べて、総重量を軽くすることができる。また、内部の空間利用効率を高めることができる。そのため、撮像装置を小型化することができる。また、吊り環を内部構造体に固定する場合に比べて、吊り環２９１０および吊り環２９２０に加わった力が、ボディ部２０４０の沢山の部位に伝わることを抑制できる。
【００６５】
図５は、ボタン押さえ板１４５１によって固定されるボタン部１４７０の断面を模式的に示す。ボタン部１４７０は、操作部材１４７１と、防滴ゴム１４７２と、スイッチ部１４７３とを有する。操作部材１４７１は、ユーザからの押し込み操作を受け付ける。操作部材１４７１は、後カバー２０３３の内部から外部まで貫通して設けられる。後カバー２０３３の内部は、後カバー２０３３に接触して設けられた防滴ゴム１４７２によって防滴される。
【００６６】
スイッチ部１４７３が有する２つの接点は、操作部材１４７１が押し込まれた状態で接触し、操作部材１４７１が押し込まれていない状態では離間する。スイッチ部１４７３の２つの接点は、ｘｙ平面に略平行に設けられたフレキシブルプリント基板１４７４が有する導体を介して、処理ユニット２４００に接続されている。スイッチ部１４７３が有する接地側の接点は、処理ユニット２４００が有する接地導体に電気的に接続されている。フレキシブルプリント基板１４７４が有する接地側の導体は、ボタン押さえ板１４５１に接触している。そのため、スイッチ部１４７３の接地側の接点の接地接続を強化することができる。
【００６７】
上記の説明では、カバー部２０３０を形成する各カバー部材は、吊り環２９１０および吊り環２９２０介して物理的に接続される。また、各カバー部材は、吊り環２９１０および吊り環２９２０介して、接地導体に電気的に接続される。カバー部材を物理的に接続する部材としては、吊り環の他に、上述した三脚座、アクセサリシューを撮像装置に装着するためのシュー座、バリアングルの表示ユニット２０２４を支えるステー、端子カバーを回転可能に支持するヒンジ等を用いてよい。
【００６８】
本実施形態においては、レンズユニットをするカメラ本体を取り上げて、撮像装置２０００が有する構成を説明した。しかし、撮像装置とは、レンズユニットを有しないカメラ本体を含む概念である。また、撮像装置とは、レンズ交換式カメラの一例である一眼レフレックスカメラの他に、レンズ非交換式の種々の態様のカメラを含む概念である。
【００６９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００７０】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００７１】
１４００  孔
１４０１  位置決めピン
１４０２  ビス
１４０３、１４０４、１４０５  孔
１４０６  ビス
１４０８、１４０９、１４１０  孔
１４１１  位置決めピン
１４１２  ビス
１４１３、１４１４  孔
１４１６  ビス
１４１７、１４１８、１４１９  孔
１４２０  吊り具装着部
１４２１  前カバー側固定部
１４２２  後カバー側固定部
１４２３  連結部
１４３０  吊り具装着部
１４３１  前カバー側固定部
１４３２  後カバー側固定部
１４３３  連結部
１４４０、１４４１  ビス
１４４２、１４４３  孔
１４４４  ビス
１４４５  孔
１４４６  孔
１４５０  金属導体
１４５２、１４５３、１４５４  ビス
１４５７  三脚座固定部
１４５８  三脚座
１４５９  ビス
１４７０  ボタン部
１４７１  操作部材
１４７２  防滴ゴム
１４７３  スイッチ部
１４７４  フレキシブルプリント基板
１４８１  軸支持部
１４８２  軸支持部
１４８８  ビス
１４９０、１４９１  開口
１４９８、１４９９  ビス
１４５１  ボタン押さえ板
２０００  撮像装置
２０１０  レンズユニット
２０１２  レンズ側マウント
２０１４  光学系
２０１５、２０１６  レンズ群
２０２０  カメラ本体
２０２２  ボディ側マウント
２０２３  シャッタユニット
２０２４  表示ユニット
２０２５  レンズ駆動ユニット
２０２６  焦点検出ユニット
２０２７  焦点検出センサ部
２０３０  カバー部
２０３１  前カバー
２０３２  上カバー
２０３３  後カバー
２０４０  ボディ部
２０４２  ミラーユニット
２０４３  メインミラー
２０４４  サブミラー
２０６０  ファインダユニット
２０６１  フォーカシングスクリーン
２０６２  ペンタプリズム
２０６３  ファインダレンズ系
２０６４  ファインダ窓
２０６７  測光ユニット
２０６８  測光光学系
２０６９  測光センサ
２１００  撮像ユニット
２１３０  撮像素子  
２１８０  フレキシブルプリント基板
２４００  処理ユニット
２９１０、２９２０  吊り環
【図１】
2018018109.tif 000003
【図２】
2018018109.tif 000004
【図３】
2018018109.tif 000005
【図４】
2018018109.tif 000006
【図５】
2018018109.tif 000007